(57)【特許請求の範囲】
【請求項１】
容器本体（１）と、該容器本体（１）を把持する取っ手（６）とを有して一体成形され、前記取っ手（６）及び前記容器本体（１）の表面に金型の合わせ面に沿って形成されるパーティングライン（ＰＬ）を備えたブロー成形容器であって、
少なくとも前記容器本体（１）と対峙する取っ手（６）側の対向面（６Ａ）に前記パーティングライン（ＰＬ）に沿う溝部（８ａ）が延設され、前記パーティングライン（ＰＬ）が前記溝部（８ａ）内に配置されると共に、前記溝部（８）の深さ寸法が、パーティングライン（ＰＬ）上に沿って前記金型で食い切られて残存形成されるバリ（９）の平均高さ寸法以上に設定され、且つ前記溝部（８）の幅寸法（Ｗ）が１ｍｍ以上３ｍｍ以下に設定されていることを特徴とするブロー成形容器。
【請求項２】
溝部（８）が、容器本体（１）の背面（３Ｃ）に対向する取っ手（６）の対向面（６Ａ）に形成された第１溝部（８ａ）と、前記背面（３Ｃ）に形成された第２溝部（８ｂ）とを有し、前記パーティングライン（ＰＬ）が前記第１溝部（８ａ）及び第２溝部（８ｂ）内に配置されている請求項１記載のブロー成形容器。
【請求項３】
取っ手（６）のうち、取っ手側の対向面（６Ａ）とは逆側となる外面（６Ｂ）にパーティングライン（ＰＬ）に沿う溝部（８ｃ）が延設され、前記パーティングライン（ＰＬ）が前記溝部（８ｃ）内に配置されている請求項１又は２記載のブロー成形容器。
【請求項４】
取っ手（６）の上端のみが容器本体（１）に連接され、取っ手（６）の下端が容器本体（１）から分離されている請求項１乃至３のいずれか一項に記載のブロー成形容器。
【発明の詳細な説明】
【技術分野】
【０００１】
本発明は、容器本体に把持用の取っ手を備えたブロー成形容器に関する。
【背景技術】
【０００２】
従来から、液体等の内容物を収容する中型以上の容器として、使用者が把持するための取っ手を備えたブロー成形容器が発案されている。
この種の取っ手としては、例えば、特許文献１に示すように、容器本体を構成する胴部の上部側に縦長の開口を形成することによって容器本体と一体に形成されている。使用者は取っ手を把持することにより、容器本体を容易に持ち運ぶことができ、また持ち上げた容器本体を傾けることで、容器本体内の内容物を容易に注ぐことが可能となっている。
【先行技術文献】
【特許文献】
【０００３】
【特許文献１】特開２００１−１１４２３７号公報
【特許文献２】特開２００９−８１３号公報
【発明の概要】
【発明が解決しようとする課題】
【０００４】
この種の容器では、ダイレクトブロー成形する際に、パリソンの一部を金型で強制的に食い切ることによって取っ手を形成する必要があることから、容器本体と取っ手とが対向する領域に、バリがパーティングラインに沿って残存形成されやすい。このようなバリ付きの取っ手を使用者が把持すると、手や指にバリが触れて使用者に苦痛を与えたり、あるいは手を傷付けたりする虞があった。
【０００５】
このような問題に対する処理としては、例えば特許文献２に示すように、専用のバリ取り器やトリミング装置を用いてバリ部分を削って除去することが一般的に行われているが、バリを完全に除去することができないという問題、さらには製造設備及び製造工程が複雑化すると共に製造コストが増大するという問題があった。
【０００６】
本発明は、上記した従来技術における問題点を解消すべく、バリを完全に除去できない場合であっても、製造設備及び製造工程を複雑化することなく、簡単な構成で取っ手部分に残存するバリから使用者の手や指を保護することができ、安全性に優れ且つ持ち易いブロー成形容器を創出することを課題とする。
【課題を解決するための手段】
【０００７】
上記課題を解決するための手段のうち、本発明の主たる手段は、
容器本体と、容器本体を把持する取っ手とを有して一体成形され、取っ手及び容器本体の表面に金型の合わせ面に沿って形成されるパーティングラインを備えたブロー成形容器であって、
少なくとも容器本体と対峙する取っ手側の対向面にパーティングラインに沿う溝部が延設され、パーティングラインが溝部内に配置されると共に、溝部の深さ寸法が、パーティングライン上に沿って金型で食い切られて残存形成されるバリの平均高さ寸法以上に設定され、且つ溝部の幅寸法が１ｍｍ以上３ｍｍ以下に設定されていることを特徴とする、と云うものである。
【０００８】
ダイレクトブロー成形では、パリソンの一部を金型で強制的に食い切ることによって取っ手を形成する必要があることから、容器本体と取っ手とが対向する領域にはバリがパーティングラインに沿って残存形成されやすいところ、上記手段からなるブロー成形容器によれば、特に取っ手側の対向面に残存形成されるバリの溝部内への収容を達成する。
また、溝部の底面に残存形成されているバリ先端の溝部外への突出防止を達成する。
また取っ手を把持した手や指の一部が溝部内へ埋没する量の低減を達成する。
【０００９】
また本発明の他の手段は、請求項１記載のブロー成形容器において、溝部が、容器本体の背面に対向する取っ手の対向面に形成された第１溝部と、背面に形成された第２溝部とを有し、パーティングラインが第１溝部及び第２溝部内に配置されている、と云うものである。
【００１０】
上記手段では、容器本体の背面、取っ手側の対向面及びこれらの境目を含む領域に対し、パーティングラインに沿って残存形成されるバリの溝部内への収容を達成する。
【００１１】
また本発明の他の手段は、請求項１又は２記載のブロー成形容器において、取っ手のうち、取っ手側の対向面とは逆側となる外面にパーティングラインに沿う溝部が延設され、パーティングラインが溝部内に配置されている、と云うものである。
【００１２】
上記手段では、取っ手の外面上のパーティングラインに沿って残存形成されるバリの溝部内への収容を達成する。
【００１７】
また本発明の他の手段は、請求項１乃至３のいずれか一項に記載のブロー成形容器において、取っ手の上端のみが容器本体に連接され、取っ手の下端が容器本体から分離されている、と云うものである。
【００１８】
上記手段では、容器本体に取っ手の上端及び下端の双方が連設されて一体成形されたブロー成形容器以外に、取っ手の上端のみを容器本体に連接し、取っ手の下端を容器本体から分離させて自由端としたブロー成形容器におけるパーティングラインに沿う溝部の形成を達成する。
【発明の効果】
【００１９】
本発明は、上記した構成となっているので、以下に示す効果を奏する。
本発明の主たる構成においては、容器本体と取っ手とが対向する部分に残存形成されたバリのうち、取っ手側の対向面上のパーティングラインに沿って残存形成されたバリのほぼ全部を溝部内に収容することが可能となる。このため、使用者が取っ手を強く把持しても、取っ手側の対向面側に形成されたバリが指や手に触れることを防止することができるため、指や手などに苦痛を与えたり、又は傷付けたりすることがなくなる。すなわち、安全性の高いブロー成形容器を提供することができる。
また溝部の深さ寸法が、パーティングライン上に沿って残存形成されるバリの平均高さ寸法以上に設定されているので、バリの先端が溝の上縁よりも外部に突出することがなく、バリの先端に手や指に触れることを防止することができる。
さらに溝部の幅寸法を１ｍｍ以上３ｍｍ以下としたので、取っ手を強く把持しても、手や指の一部が溝部内への埋没する量を抑制することが可能となるため、溝部内に残存形成されているバリから効果的に手や指を保護することができる。
【００２０】
また請求項２に記載の、溝部が、容器本体の背面に対向する取っ手の対向面に形成された第１溝部と、背面に形成された第２溝部とを有し、パーティングラインが第１溝部及び第２溝部内に配置されている構成にあっては、容器本体側の背面、取っ手側の対向面に残存形成されるバリは勿論のこと、これらの境目である挿通孔の上端や下端に残存形成されるバリについても溝部内に収容することができる。このため、使用者が挿入孔に手や指を挿入して取っ手を把持しようとしたときに、手や指がバリに触れることを防止することができる。
【００２１】
また請求項３に記載の、取っ手のうち、取っ手側の対向面とは逆側となる外面にパーティングラインに沿う溝部が延設され、パーティングラインが溝部内に配置されている構成では、例え取っ手の外面のパーティングラインに沿って残存形成されることがあっても、この部分のバリを溝部内に収容することができる。このため、使用者が取っ手を把持した手や指（特に親指）が取っ手の外面のバリに触れる虞がなくなる。
【００２４】
また請求項４に記載の、取っ手の上端のみが容器本体に連接され、取っ手の下端が容器本体から分離されている構成では、容器本体の製造過程において２つ割り金型を開く際に、取っ手が金型に引っ掛かったとしても、取っ手の下端（自由端）が容易に撓み変形することが可能であるため、引っ掛かりを解除して金型からの離型を確実に行うことが可能となる。
【図面の簡単な説明】
【００２５】
【図１】本発明のブロー成形容器の第１実施例としての容器本体を示す正面図である。
【図２】図１の容器本体の側面図である。
【図３】図１の容器本体の背面図である。
【図４】図２のＩＶ−ＩＶ線における断面図である。
【図５】本発明のブロー成形容器の第２実施例としての容器本体を示す側面図である。
【図６】図５の容器本体の背面図である。
【発明を実施するための形態】
【００２６】
以下、本発明の実施の形態について図面を参照しつつ説明する。
図１は本発明のブロー成形容器の第１実施例としての容器本体を示す正面図、図２は図１の容器本体の側面図、図３は図１の容器本体の背面図、図４は図２のＩＶ−ＩＶ線における断面図である。
【００２７】
図１ないし図４にブロー成形容器の第１実施例として示す容器本体１は、例えば液体洗剤や柔軟剤などの液状内容物を充填する容器として使用される。
容器本体１は、上端から下端にかけて口筒部２、胴部３及び底部４を有すると共に胴部３の背面３Ｃには一体に形成された取っ手６を有し、例えばポリエチレン、ポリプロピレンなどの合成樹脂材料を用いて周知のダイレクトブロー成形法により形成されている。
【００２８】
口筒部２の周囲にはネジ溝が刻設されており、例えば周知の計量カップ付きキャップ（図示せず）などが装着される。胴部３は、例えば高さ方向の中間部分が前方に太鼓腹状に突出した正面３Ａと、幅方向の両壁を構成する側面３Ｂ，３Ｂ、取っ手６を備えた背面３Ｃ及び取っ手６の下部に設けられた背面下部３Ｄとを有して構成される。
【００２９】
背面３Ｃに設けられた取っ手６は、容器本体１を持ち上げたり、傾けて容器本体１内の液状内容物を注いだりする際に使用者が把持するものである。取っ手６の上端６ａは胴部３の背面３Ｃ側の上端（口筒部２の下端）から連設されて下方に延び、その下端６ｂは胴部３の背面３Ｃ側で且つ高さ方向の約１／３の位置に連設されている。
【００３０】
胴部３の背面３Ｃと取っ手６との間の領域には、手や指を挿入するための挿入孔５が水平方向に沿って貫通して形成されている。この挿入孔５は、パリソンを２つ割の金型で挟んでブロー成形する際に、金型の一部によって強制的に食い切ることによって形成される。挿入孔５は、例えば縦に並べた４本の指を挿入できるだけの高さと、片手で把持できるような略楕円形状とを有して形成されている。また、取っ手６は片手で把持できる程度の径寸法で形成されている。
【００３１】
図１及び図３に示すように、容器本体１及び取っ手６の幅方向の中央で且つ図示しない金型の合わせ面となる位置には、パーティングラインＰＬが容器本体１のブロー成形時に転写形成される。そして、バリ９はこのパーティングラインＰＬに沿って残存形成されるが、特に挿入孔５が食い切り形成された胴部３の背面３Ｃと取っ手６とが対向する領域には比較的粗く大きめなバリ９が残存形成されやすい。
【００３２】
図４に示すように、取っ手６は容器本体１の背面３Ｃに対峙する対向面６Ａと、この対向面６Ａの逆側の面である外面６Ｂとを有して構成されている。なお、図４に示す例では、対向面６Ａが容器本体１の背面３Ｃに向けて突出する凸状の曲面で形成されている。
【００３３】
取っ手６の対向面６Ａの幅方向の中央には、凹溝からなる第１溝部８ａが上端６ａから下端６ｂにかけて延設されており、この第１溝部８ａの中央にパーティングラインＰＬは配置されている。なお、バリ９は溝部８の底面に、パーティングラインＰＬに沿って残存形成されている。
【００３４】
第１溝部８ａの深さ寸法は、パーティングラインＰＬに残存形成されるバリの平均高さ寸法以上であることが好ましい。この範囲に設定することにより、バリ先端が第１溝部８ａの上縁よりも外部に突出することがなくなり、使用者の手や指にバリが触れることがなくなる。
【００３５】
また第１溝部８ａの幅寸法Ｗは、１ｍｍよりも狭い場合には残存形成されるバリを収容できない場合があり、また３ｍｍより広い場合には取っ手６を把持した手や指の一部が第１溝部８ａ内に埋没してバリの先端に触れる虞がある。よって、第１溝部８ａの幅寸法Ｗは１ｍｍ以上で且つ３ｍｍ以下の範囲が好ましい。
【００３６】
この範囲に設定することにより、手や指の一部が第１溝部８ａ内に埋没する量を抑制することができる。よって、取っ手６を把持しても第１溝部８ａ内に残存形成されている鋭利なバリ９の先端が、把持した手や指に触れることがなくなるため、取っ手６を難なく把持することが可能となる。よって、持ち易く且つ安全性に優れたブロー成形容器を提供することができる。
【００３７】
また第１実施例では、容器本体１側の背面３Ｃの幅方向の中央に、上記第１溝部８ａ同様の構成からなる第２溝部８ｂが取っ手６の挿入孔５側の上端から下端にかけて延設され、この第２溝部８ｂの中央にパーティングラインＰＬが配置されている。
より詳しくは、取っ手６側の第１溝部８ａと容器本体１側の第２溝部８ｂとは挿入孔５の上下の位置で連結されており、容器本体１側の背面３Ｃと取っ手６の対向面６Ａとが対向する部分にリング状の溝部８が配置されている。そして、パーティングラインＰＬはこのリング状の溝部８内の幅方向の中央を通って環状に配置されている。
【００３８】
このため、挿入孔５に挿入した指は、取っ手６側の対向面６Ａと容器本体１側の背面３Ｃの一方又は双方に触れたとしても、環状のパーティングラインＰＬに沿って残存形成され且つ第１溝部８ａ内又は第２溝部８ｂ内に収容されているバリ９の先端に触れ難くすることができる。よって、挿入孔５に対する指の出し入れを安全に行うことが可能となり、取っ手６を難なく把持することができる。すなわち、持ち易く且つ安全性に優れたブロー成形容器を提供することができる。
【００３９】
さらにこの第１実施例では、図３に示すように、第３溝部８ｃが、取っ手６の外面６Ｂの幅方向の中央に、口筒部２の下端の位置から取っ手６の外面６Ｂを通り背面下部３Ｄの下端にかけて延設されており、この第３溝部８ｃの幅方向の中央にパーティングラインＰＬが配置されている。
【００４０】
溝部８を形成する範囲は、少なくとも金型で挟んでブロー成形する際にバリが発生しやすい範囲に形成されていればよく、バリが発生しにくい範囲（例えば、後述する第２実施例（図６参照）に示す背面下端３Ｄなど）には形成されていなくてもよい。
なお、バリから手や指を保護する上では、取っ手６を把持する手は上端６ａから下端６ｂの範囲を把持することが通常であることから、第３溝部８ｃを形成する範囲を少なくとも取っ手６の上端６ａから下端６ｂの範囲に形成した構成とすることもできる。
【００４１】
取っ手６を手で把持する場合、取っ手６の外面６Ｂには手の平や親指の腹が接触することになる。しかし、上記のように取っ手６の外面６Ｂに第３溝部８ｃを形成しておくことにより、パーティングラインＰＬに沿って残存形成され且つ第３溝部８ｃ内に収容されているバリ９の先端が手の平や親指の腹に触れ難くすることができる。このため、取っ手６を難なく把持することができる。すなわち、持ち易く且つ安全性に優れたブロー成形容器とすることができる。
【００４２】
図５は本発明のブロー成形容器の第２実施例としての容器本体を示す側面図、図６は図５の容器本体の背面図である。
第２実施例に示す容器本体が第１実施例と異なる点は取っ手の形状にあり、その他の構成及び効果は上記第１実施例と同様である。よって、以下においては主として第１実施例と異なる点について説明する。なお、同一部材については同一符号を付して説明する。
【００４３】
図５及び図６に示すように、第２実施例に示す容器本体１では、取っ手６の上端６ａのみが容器本体１の上端（口筒部２の下端）に連設されており、取っ手６の下端６ｂは連設されない、すなわち容器本体１から分離した自由端として形成されている。
【００４４】
また、図５及び図６には図示していないが、第１実施例同様に、取っ手６の対向面６Ａに第１溝部８ａが形成されている。あるいは第１溝部８ａの上端と第２溝部８ｂの上端とが連続する状態で、取っ手６の対向面６Ａ及び容器本体１の背面３Ｃ上に形成されている。なお、図６には容器本体１の背面３Ｃに形成された第２溝部８ｂの一部が現れている。
【００４５】
また第３溝部８ｃは取っ手６の外面６Ｂの幅方向の中央に、口筒部２の下端の位置から取っ手６の外面６Ｂを通り取っ手６の下端６ｂにかけて延設され、さらに取っ手６の下端６ｂを通って取っ手６の対向面６Ａに形成された第１溝部８ａに連続している。取っ手６の外面６Ｂでは、パーティングラインＰＬが第３溝部８ｃの幅方向の中央に配置されている。
【００４６】
よって、第２実施例に示す容器本体１においても、上記第１実施例同様に、パーティングラインＰＬに沿って残存形成され且つ各溝部８内に収容されているバリ９の先端が手の平や指に触れ難くすることができるため、取っ手６を難なく把持することが可能である。
【００４７】
第１実施例に示す容器本体１の製造工程においては、取っ手６が閉じた構成であるため、２つ割り金型を開いて離型する際に、金型の一部が容器本体１の取っ手６の挿入孔５が引っ掛かって取り出しが困難となる虞があるが、第２実施例のように取っ手６の下端６ｂを容器本体１から分離させて自由端とした構成では、金型の一部が取っ手６に引っ掛かったとしても取っ手６自体が容易に撓み変形することが可能であるため、引っ掛かりが解除されて金型からの取り出しを確実に行うことが可能である。
【００４８】
以上、実施例に沿って本発明の構成とその作用効果について説明したが、本発明の実施の形態は上記実施例に限定されるものではない。
【００４９】
上記第１実施例及び第２実施例では、溝部８として第１溝部８ａ、第２溝部８ｂ及び第３溝部８ｃの全てを有する構成を示して説明したが、本発明は上記実施例に限定されるものではなく、少なくとも第１溝部８ａを有する構成であってもよい。
そして、第１溝部８ａに加えて、第２溝部８ｂさらに第３溝部８ｃを有する構成とすることにより、本発明の目的をより効果的に達成することができるようになっている。
【００５０】
また上記第１実施例及び第２実施例では、溝部８（第１溝部８ａ，第２溝部８ｂ，第３溝部８ｃ）の断面形状を対向面６Ａ、背面３Ｃ及び外面６Ｂの各表面から容器本体１又は取っ手６の内方に陥没する凹溝のみの構成を示して説明したが、本発明はこれに限られるものではなく、中央の凹溝の両側に一対の凸部を設けた構成としてもよい。この構成では、凸部の頂部と凹溝の底面との間が溝部８の実質的な深さ寸法となり、溝部８からのバリの突出を確実に防止できる点で有効である。
なお、この構成においてもパーティングラインＰＬは凹溝の中央に沿って延設される点、及び凹溝の底面上にバリがパーティングラインＰＬに沿って形成される点については上記同様である。
【産業上の利用可能性】
【００５１】
本発明のブロー成形容器は、ダイレクトブロー成形法を用いて容器本体と共に取っ手が一体に成形される容器の分野における用途展開をさらに広い領域で図ることができる。
【符号の説明】
【００５２】
１    ；  容器本体
２    ；  口筒部
３    ；  胴部
３Ａ  ；  胴部の正面
３Ｂ  ；  胴部の側面
３Ｃ  ；  胴部の背面
３Ｄ  ；  胴部の背面下部
４    ；  底部
５    ；  挿通孔
６    ；  取っ手
６Ａ  ；  取っ手の対向面
６Ｂ  ；  取っ手の外面
６ａ  ；  取っ手の上端
６ｂ  ；  取っ手の下端
８    ；  溝部
８ａ  ；  第１溝部（溝部）
８ｂ  ；  第２溝部（溝部）
８ｃ  ；  第３溝部（溝部）
９    ；  バリ
ＰＬ  ；  パーティングライン
Ｗ    ；  溝部の幅寸法
【図１】
0006037200.tif 000002
【図２】
0006037200.tif 000003
【図３】
0006037200.tif 000004
【図４】
0006037200.tif 000005
【図５】
0006037200.tif 000006
【図６】
0006037200.tif 000007